(57)【要約】【課題】演出装置に対する設定の操作を行う演出設定操作部の操作性の向上を図る。【解決手段】スロットマシンは、押圧操作が可能な決定ボタン４１と、決定ボタン４１の周囲に配置されて押圧操作に応じて方向操作が可能な選択ボタン４２を有する演出設定操作部４０を備える。決定ボタン４１に形成された第１押圧面４１ａの最も高い部分である最高部４１ｂを、選択ボタン４２に形成された第２押圧面４２ａの最も低い部分である最低部４２ｂより、決定ボタン４１の移動方向Ｄ１に対して高い位置に配置した。【選択図】図２
2019201849.tif 000002
【特許請求の範囲】
【請求項１】
遊技に関する演出を実行可能な演出装置と、前記演出装置に対する設定の操作が可能な演出設定手段と、を備えた遊技機において、
前記演出設定手段は、
押圧操作により移動可能なメインボタンと、
前記メインボタンの周囲に配置され、押圧操作に応じて方向操作が可能な方向操作ボタンと、を有し、
前記メインボタンは、移動方向に向いて押圧可能に形成された第１押圧面を有し、
前記方向操作ボタンは、前記移動方向に向いて押圧可能に形成された第２押圧面を有し、
前記第１押圧面における前記移動方向に対して最も高い部分である最高部は、前記第２押圧面における前記移動方向に対して最も低い部分である最低部より前記移動方向に対して高い位置に配置されている、
ことを特徴とする遊技機。
【請求項２】
前記方向操作ボタンは、４つの前記第２押圧面が前記メインボタンを中心として直交する２本の直線上でかつ前記メインボタンの周囲に位置するように配置され、かつ前記最低部のそれぞれが前記第２押圧面のそれぞれにおける前記メインボタンの側の端部に配置されている、
ことを特徴とする請求項１に記載の遊技機。
【請求項３】
前記第１押圧面は、前記最高部が外縁に位置するように配置され、かつ前記移動方向に対して凹む凹面状に形成されている、
ことを特徴とする請求項１又は２に記載の遊技機。
【請求項４】
遊技に関する演出を実行可能な演出装置と、前記演出装置に対する設定の操作が可能な演出設定手段と、を備えた遊技機において、
前記演出設定手段は、
押圧操作により移動可能なメインボタンと、
前記メインボタンの周囲に配置され、押圧操作に応じて方向操作が可能な方向操作ボタンと、を有し、
前記メインボタンは、移動方向に向いて押圧可能に形成された第１押圧面を有し、
前記第１押圧面は、前記移動方向に対して凹む凹面状に形成されている、
ことを特徴とする遊技機。
【発明の詳細な説明】
【技術分野】
【０００１】
本発明は、遊技機に関する。
【背景技術】
【０００２】
従来、外周面に図柄が配列された複数のリールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数のリールの回転を開始させ、遊技者の停止操作を契機として、内部抽選の結果に応じた態様で複数のリールを停止させる制御を行っている。そして、遊技の結果は、複数のリールが停止した状態における入賞判定ライン上に表示された図柄組合せによって判定され、遊技の結果に応じてメダル等の払出しなどが行われる。
【０００３】
上述した遊技機は、液晶表示器、ランプ、可動部材、スピーカ等の演出装置を備え、演出装置に遊技を盛り上げる演出を実行させる構成が知られている。また、演出装置を備える遊技機では、演出装置に対する設定の操作が可能な演出設定手段として十字キー及び決定ボタンを備えた構成が開示されている（特許文献１参照）。この遊技機は、遊技者が、十字キーを上下方向や左右方向へ操作することにより、スピーカから出力される楽曲や音量の設定が選択され、決定ボタンを操作することにより、選択された設定が確定されるように構成されている。
【先行技術文献】
【特許文献】
【０００４】
【特許文献１】特開２０１７−９９８０３号公報
【発明の概要】
【発明が解決しようとする課題】
【０００５】
しかしながら、特許文献１に記載の遊技機においては、遊技者は、演出装置に対する設定の操作を行う場合、液晶表示機等の演出装置と演出設定手段とを交互に見なければならず、操作が煩わしかった。
【０００６】
そこで、本発明は、演出設定手段の操作性の向上を図ることが可能な遊技機を提供することを目的とするものである。
【課題を解決するための手段】
【０００７】
本発明は、遊技に関する演出を実行可能な演出装置と、前記演出装置に対する設定の操作が可能な演出設定手段と、を備えた遊技機において、
前記演出設定手段は、
押圧操作により移動可能なメインボタンと、
前記メインボタンの周囲に配置され、押圧操作に応じて方向操作が可能な方向操作ボタンと、を有し、
前記メインボタンは、移動方向に向いて押圧可能に形成された第１押圧面を有し、
前記方向操作ボタンは、前記移動方向に向いて押圧可能に形成された第２押圧面を有し、
前記第１押圧面における前記移動方向に対して最も高い部分である最高部は、前記第２押圧面における前記移動方向に対して最も低い部分である最低部より前記移動方向に対して高い位置に配置されている、ことを特徴とする。
【発明の効果】
【０００８】
本発明によると、演出設定手段の操作性の向上を図ることが可能となる。
【図面の簡単な説明】
【０００９】
【図１】第１の実施形態に係るスロットマシンの斜視図である。
【図２】第１の実施形態に係るスロットマシンの演出設定操作部を説明する図で、（ａ）は、演出設定操作部の平面図、（ｂ）は、各ボタンが初期位置に位置している状態における（ａ）のＡ−Ａ断面図、（ｃ）は、決定ボタンが移動位置に位置している状態における（ａ）のＡ−Ａ断面図である。
【図３】演出設定操作部を示す断面図で、（ａ）は、第２の実施形態に係るスロットマシンの演出設定操作部を示す断面図、（ｂ）は、第３の実施形態に係るスロットマシンの演出設定操作部を示す断面図、（ｃ）は、第４の実施形態に係るスロットマシンの演出設定操作部を示す断面図、（ｄ）は、第５の実施形態に係るスロットマシンの演出設定操作部を示す断面図、（ｅ）は、第６の実施形態に係るスロットマシンの演出設定操作部を示す断面図である。
【図４】演出設定操作部を示す平面図で、（ａ）は、第７の実施形態に係るスロットマシンの演出設定操作部を示す平面図、（ｂ）は、第８の実施形態に係るスロットマシンの演出設定操作部を示す平面図、（ｃ）は、第９の実施形態に係るスロットマシンの演出設定操作部を示す平面図である。
【発明を実施するための形態】
【００１０】
以下、本実施形態について説明する。なお、以下に説明する本実施形態は、特許請求の範囲に記載された本発明の内容を不当に限定するものではない。また、本実施形態で説明される構成のすべてが、本発明の必須構成要件であるとは限らない。
【００１１】
＜第１の実施形態＞
１．スロットマシンの構成の概要
図１は、本発明の実施形態に係るスロットマシン１の外観構成を示す斜視図である。本実施形態のスロットマシン１は、いわゆる回胴式遊技機と呼ばれるもので、メダルを遊技媒体として用いた遊技を行う種類の遊技機である。
【００１２】
本実施形態のスロットマシン１は、収納箱ＢＸ、前面上扉ＵＤ及び前面下扉ＤＤからなる箱形の筐体内に複数のリールとしての第１リールＲ１〜第３リールＲ３からなるリールユニットが収められている。また、筐体内のリールユニットの下部には、メダルの払出装置としてのホッパーユニット（図示省略）が収められている。また、本実施形態のスロットマシン１の筐体内には、ＣＰＵ、ＲＯＭ（情報記憶媒体の一例）、ＲＡＭ等を搭載し、スロットマシン１の動作を制御する制御基板も収められている。
【００１３】
図１に示す第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リール駆動手段としてのステッピングモータ（図示省略）に軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１４】
前面上扉ＵＤと前面下扉ＤＤとは、個別に開閉可能に設けられている。前面上扉ＵＤには、第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓ＤＷを通じて観察できるようになっている。
【００１５】
また、本実施形態のスロットマシン１では、表示窓ＤＷを通じて図柄を観察するための表示位置として、各リールについて上段、中段、下段が設けられており、各リールの表示位置の組合せによって有効ラインが設定されている。なお、本実施形態のスロットマシン１では、１回の遊技に関して必要となるメダルの数、いわゆる規定投入数が、いずれの遊技状態においても３枚に設定され、規定投入数に相当するメダルが投入されると第１リールＲ１〜第３リールＲ３の中段によって構成される有効ラインＬ１が有効化される。
【００１６】
そして、遊技結果は、表示窓ＤＷ内の有効ラインＬ１上に停止表示された図柄組合せによって判定され、有効ラインＬ１上の図柄組合せが予め定められた役に対応した図柄組合せである場合に、その役が入賞したものとしてホッパーユニットからメダルの払い出し等が行われる。
【００１７】
前面上扉ＵＤには、遊技情報表示部ＤＳが設けられている。遊技情報表示部ＤＳは、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計、今回の遊技で当選した役の情報、メダルの払い出しに関係するストップボタンＢ１〜ストップボタンＢ３の押し方を示唆する情報の表示等の各種遊技情報が表示される。
【００１８】
遊技情報表示部ＤＳには、７セグメント表示器から構成される主制御表示装置５００が含まれており、規定投入数のメダルが投入されスタートレバーＳＬが操作された際に、今回の遊技で当選した役の情報である当選情報に基づき作成される制御信号である当選コマンドに対応する表示である報知表示が表示され、報知表示の表示後第１リールＲ１〜第３リールＲ３が停止した際に、報知表示が終了するとともにメダルの払出数あるいは獲得数が表示される。本実施形態のスロットマシン１では、当選コマンドに応じた表示態様で主制御表示装置５００の各セグメントが点灯及び消灯することで、内部抽選で当選した役がどの役であるか遊技者が推測できるような報知表示が実行される。
【００１９】
また、主制御表示装置５００には、７セグメント表示器のドットであり、図示しない有利期間制御手段によって有利期間が開始されている場合に点灯し、有利期間が開始されていない、つまり非有利期間が開始されている場合に消灯することで有利期間が開始されているか否かを報知する有利期間報知部５００Ａが設けられている。
【００２０】
また、スロットマシン１には、遊技を補助したり、遊技を盛り上げたりする、遊技に関する演出を実行可能な演出装置３００が設けられている。演出装置３００には、前面上扉ＵＤに設けられている、表示装置３３０、可動役物装置３５０、及び複数の電飾装置３６０が含まれる。表示装置３３０は、例えば液晶ディスプレイから構成され、遊技の進行に応じて各種の映像や画像を表示する演出を実行する。可動役物装置３５０は、表示装置３３０の前方に配置されており、遊技の進行に応じてモータやソレノイド等の駆動手段により移動し、表示装置３３０の画面を遮蔽させたり露出させたりする演出を実行する。電飾装置３６０は、遊技の進行に応じて発光する演出を実行する。また、演出装置３００には、前面上扉ＵＤ及び前面下扉ＤＤに設けられている、複数の音響装置（図示省略）を含む。音響装置は、遊技の進行に応じて各種の音声を出力する演出を実行する。
【００２１】
前面下扉ＤＤには、各種の操作手段を備えた操作部ＣＰが設けられている。操作部ＣＰは、上方を向いた上板ＣＰ１と、前方を向いた前板ＣＰ２と、を有している。上板ＣＰ１には、クレジット（貯留）されたメダルを投入する操作を行うための投入操作手段として、１枚のメダルを投入するシングルベットボタンＢＴ及び規定投入数のメダルを投入するマックスベットボタンＭＢ、演出装置３００に対する設定の操作が可能な演出設定手段として、複数のボタンを有する演出設定操作部（演出設定手段）４０が設けられている。演出設定操作部４０の詳細については、後述する。前板ＣＰ２には、第１リールＲ１〜第３リールＲ３を回転させて遊技を開始する契機となる開始操作を遊技者に実行させるための遊技開始操作手段としてのスタートレバーＳＬ、ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを清算するための清算ボタンＢＳが設けられている。
【００２２】
本実施形態のスロットマシン１では、遊技者がメダルをメダル投入口ＭＩに投入するか、メダルが規定投入数以上にクレジットされている場合に、規定投入数と同じ回数シングルベットボタンＢＴを押下するシングルベット操作又はマックスベットボタンＭＢを押下するマックスベット操作を行うことで、規定投入数のメダルが投入状態に設定され、第１リールＲ１〜第３リールＲ３の回転制御を開始することが可能な準備状態にセットされる。そして、遊技者がスタートレバーＳＬに対して開始操作を実行すると、制御基板において第１リールＲ１〜第３リールＲ３をステッピングモータの駆動により回転開始させるとともに、乱数を用いた内部抽選が行われ、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００２３】
その後、遊技者が任意のタイミングでストップボタンＢ１〜ストップボタンＢ３を押下（以下、「押下タイミング」と記載）していくと、ストップボタンＢ１〜ストップボタンＢ３のそれぞれに内蔵されている停止信号出力手段としてのストップスイッチ２４０がＯＮ動作を行い、制御基板へ出力するリール停止信号をＯＦＦ状態からＯＮ状態へ変化させる。
【００２４】
また、遊技者が任意のタイミングで押下状態にあるストップボタンＢ１〜ストップボタンＢ３を解放すると、ストップボタンＢ１〜ストップボタンＢ３それぞれに対応するストップスイッチ２４０がＯＦＦ動作を行い、制御基板へ出力するリール停止信号をＯＮ状態からＯＦＦ状態に変化させる。そして、制御基板は、ストップボタンＢ１〜ストップボタンＢ３の押下タイミング及び解放タイミングに応じて信号状態が変化するリール停止信号のＯＦＦ状態からＯＮ状態への変化に基づいて、内部抽選の結果に応じた停止位置で第１リールＲ１〜第３リールＲ３を停止させる。
【００２５】
また、前面下扉ＤＤの下部には、メダル払出口ＭＯとメダル受け皿ＭＰとが設けられており、遊技の結果に応じた枚数のメダルがメダル払出口ＭＯからメダル受け皿ＭＰへ払い出されるようになっている。また、遊技機内にクレジットされたメダルが記憶されている状態で、清算ボタンＢＳが押下された場合、清算ボタンＢＳの押下に伴って清算ボタンＢＳに内蔵されているメダル清算スイッチ（不図示）がＯＮ動作を行い、制御基板へ出力するメダル清算信号をＯＦＦ状態からＯＮ状態へ変化させる。制御基板は、メダル清算信号のＯＦＦ状態からＯＮ状態への変化に伴って、第１リールＲ１〜第３リールＲ３が回転しておらずかつメダルがベットされていない状態に限り、ホッパーユニットからクレジット数（クレジットされたメダルの枚数）に相当する枚数のメダルを払い出す清算処理を実行し、メダル払出口ＭＯからメダル受け皿ＭＰへメダルを払い出す。
【００２６】
２．演出設定操作部の詳細
次に、第１の実施形態に係る演出設定操作部４０の詳細について説明をする。図２（ａ）及び（ｂ）に示すように、第１の実施形態に係る演出設定操作部４０は、複数のボタンとして、上方を向くように水平面と略平行に形成されている上板ＣＰ１の上面ＣＰ１ａから上方へ突出するように配置され、遊技者の押圧操作により上方向Ｄ１及び下方向Ｄ２に移動可能な、決定ボタン（メインボタン）４１及び複数の選択ボタン（方向操作ボタン）４２を有している。
【００２７】
図２（ｂ）は、遊技者による押圧操作が行われておらず、決定ボタン４１及び選択ボタン４２が移動していない初期位置に位置している状態を示している。決定ボタン４１は、合成樹脂により形成されているとともに、移動方向である上方向Ｄ１に向いて押圧可能に形成された第１押圧面４１ａを有している。なお、上方向Ｄ１に向いている面とは、押圧操作における押圧方向視である平面視において視認可能である面を意味している。また、平面視において視認可能な領域と視認できない領域とが連続的に形成されている面については、当該面の平面視において視認可能な領域が上方向Ｄ１に向いている面を構成する。第１押圧面４１ａは、決定ボタン４１が初期位置に位置している状態で上板ＣＰ１の上面ＣＰ１ａより上方に位置するように配置されている。
【００２８】
複数の選択ボタン４２は、それぞれ、合成樹脂により形成されているとともに、移動方向である上方向Ｄ１に向いて押圧可能に形成されている第２押圧面４２ａを有して、決定ボタン４１の周囲に配置されている。具体的には、選択ボタン４２は、決定ボタン４１を中心として直交する２本の直線ＬＮ１及び直線ＬＮ２上、かつ決定ボタン４１の周囲に位置するように、決定ボタン４１を中心として前後左右に４つ配置されており、これら４つの選択ボタン４２は、押圧操作に応じて前後方向Ｄ３及び左右方向Ｄ４の方向操作が可能な所謂十字キーを構成している。なお、ＬＮ１及びＬＮ２は、それぞれ、上面ＣＰ１ａに沿って前後方向Ｄ３に延びる直線及び上面ＣＰ１ａに沿って左右方向Ｄ４に延びる直線である。第２押圧面４２ａは、選択ボタン４２が初期位置に位置している状態で上板ＣＰ１の上面ＣＰ１ａより上方に位置するように配置されている。
【００２９】
また、演出設定操作部４０は、遊技者の押圧操作による決定ボタン４１及び選択ボタン４２の下方向Ｄ２への移動を検出する複数の押圧検出スイッチ５２が設置されているとともに、制御基板と電気的に接続されている演出設定基板５１を有している。演出設定基板５１は、上面５１ａが決定ボタン４１及び選択ボタン４２の移動方向である上方向Ｄ１に向くように上板ＣＰ１の下方に配置されており、設置面としての上面５１ａ上に複数の押圧検出スイッチ５２が設置されている。
【００３０】
押圧検出スイッチ５２は、それぞれ押し込むことで電気回路を通電させる小形のスイッチからなり、決定ボタン４１及び４つの選択ボタン４２の上方向Ｄ１及び下方向Ｄ２への移動がそれぞれボタンごとに独立して検出可能となるように、決定ボタン４１及び４つの選択ボタン４２のそれぞれの下方に配置されている。押圧検出スイッチ５２は、決定ボタン４１及び選択ボタン４２に対する押圧操作により弾性変形する弾性部５４を有している。
【００３１】
図２（ｃ）は、遊技者による押圧操作の一例として、決定ボタン４１に対する押圧操作が行われ、決定ボタン４１が初期位置から下方向Ｄ２へ移動した移動位置まで移動した状態を示している。遊技者が指Ｆにより、決定ボタン４１及び複数の選択ボタン４２のいずれかに対して下方向Ｄ２へ移動させる押圧操作を行うと、決定ボタン４１及び複数の選択ボタン４２のうち押圧操作されたボタンは、初期位置から下方向Ｄ２へ移動した移動位置まで移動して、押圧操作されたボタンに対応する押圧検出スイッチ５２の弾性部５４が弾性変形し、押圧操作されたボタンの下方向Ｄ２への移動が検出される。押圧検出スイッチ５２によりボタンの下方向Ｄ２への移動が検出されると、演出設定基板５１から制御基板に対して、押圧操作されたボタンに応じたＯＮ信号が出力される。
【００３２】
その後、遊技者が押圧操作されているボタンに対する指Ｆによる押圧操作を解除すると、それまで押圧操作されていたボタンは、弾性変形していた弾性部５４の弾性力により上方向Ｄ１へ移動位置から初期位置まで移動して、対応する押圧検出スイッチ５２の弾性部５４の形状が復元して、上方向Ｄ１への移動が検出される。押圧検出スイッチ５２によりボタンの上方向Ｄ１への移動が検出されると、演出設定基板５１から制御基板に対して、押圧操作が解除されたボタンに応じたＯＦＦ信号が出力される。
【００３３】
このように構成されて、演出設定操作部４０は、決定ボタン４１及び選択ボタン４２が押圧操作されることにより、制御基板に対して信号を出力し、出力された信号に応じて演出装置３００に対する設定の操作が可能となっている。例えば、決定ボタン４１に対する押圧操作が有効化されている所定のタイミングで決定ボタン４１が押圧操作されると、制御基板は、表示装置３３０に演出装置３００の設定を操作するためのメニュー画面を表示させる。
【００３４】
表示装置３３０にメニュー画面が表示されている状態で、４つの選択ボタン４２のいずれかに対する押圧操作に応じた前後左右のいずれかの方向操作が行われると、制御基板は、方向操作に応じて選択された演出装置３００の設定の映像を表示装置３３０に表示させる。選択ボタン４２の方向操作により演出装置３００の設定が選択されている状態で、決定ボタン４１が押圧操作されると、制御基板は、選択されている演出装置３００の設定を確定し、表示装置３３０に表示させているメニュー画面を終了する。演出装置３００の設定とは、例えば、表示装置３３０に表示されるキャラクター映像の種類の設定、可動役物装置３５０が移動する頻度の設定、電飾装置３６０が発光する頻度の設定、演出音響装置から出力される音量の設定等がある。
【００３５】
次に、決定ボタン４１及び選択ボタン４２の形状の詳細について説明をする。図２（ａ）乃至図２（ｃ）に示すように、第１押圧面４１ａは、移動方向に対して最も高い部分、すなわち基準面としての上板ＣＰ１の上面ＣＰ１ａから上方向Ｄ１への距離が最も大きい部分である最高部４１ｂが、第１押圧面４１ａの外縁４１ｃに位置するように配置されている。なお、第１押圧面４１ａの外縁４１ｃとは、厳密に第１押圧面４１ａの端部であるものに限定されず、第１押圧面４１ａの端部の近傍であるものを含む。また、第１押圧面４１ａは、移動方向である下方向Ｄ２に凹むように凹面状に形成されている。具体的には、第１押圧面４１ａは、曲率半径Ｒａの曲率中心が、第１押圧面４１ａより上方、すなわち移動位置から初期位置へ向かう方向（上方向Ｄ１）側に位置するように、球面状に形成されている。なお、決定ボタン４１において、必ずしも成型加工を行う金型の第１押圧面４１ａに対応する面が凹面状に形成されているものに限定されない。第１押圧面４１ａは、決定ボタン４１を射出成型等により成型加工する際の成型収縮により凹面状に形成されるものであってもよい。このように形成されていることにより、第１押圧面４１ａは、指の表面に密着して、押圧操作時に指が移動方向である下方向Ｄ２と交差する方向にずれにくいので、遊技者が決定ボタン４１を指で押圧操作し易くなり、操作性の向上を図っている。
【００３６】
第２押圧面４２ａは、移動方向に対して最も低い部分、すなわち基準面としての上板ＣＰ１の上面ＣＰ１ａから上方向Ｄ１への距離が最も小さい部分である最低部４２ｂのそれぞれが、第２押圧面４２ａのそれぞれにおける決定ボタン４１の側の端部４２ｃに配置されている。
【００３７】
また、第１押圧面４１ａの最高部４１ｂは、第２押圧面４２ａの最低部４２ｂより高い位置に配置されている。すなわち、第１押圧面４１ａの最高部４１ｂは、第２押圧面４２ａの最低部４２ｂより、上板ＣＰ１の上面ＣＰ１ａから上方向Ｄ１への距離が大きいように配置されている。具体的には、決定ボタン４１及び選択ボタン４２がともに初期位置に位置している状態で第１押圧面４１ａの最高部４１ｂから第２押圧面４２ａの最低部４２ｂまでの上方向Ｄ１（下方向Ｄ２）への距離Ｙ１は、決定ボタン４１の初期位置から移動位置まで下方向Ｄ２へ移動可能な可動距離Ｙ２より、大きいように配置されている。このように配置されていることにより、決定ボタン４１を下方向Ｄ２へ押圧操作する際に、遊技者が意図せず選択ボタン４２を押圧操作することを防ぎ、決定ボタン４１の周囲に選択ボタン４２が配置されている場合に、決定ボタン４１の操作性の向上を図っている。また、距離Ｙ１は、可動距離Ｙ２より更に大きいので、目視確認をしなくても、決定ボタン４１と選択ボタン４２との境を指の触覚により把握しやすくなり、遊技者が演出設定操作部４０の操作を行う際、演出装置３００と演出設定操作部４０とを交互に見る必要性を低下させて、操作性の向上を図っている。
【００３８】
なお、上述した決定ボタン４１の最高部４１ｂ、及び選択ボタン４２の最低部４２ｂの位置について、上板ＣＰ１の上面ＣＰ１ａを基準として説明をしたが、最高部４１ｂ及び最低部４２ｂの位置は、演出設定基板５１の上面５１ａからの距離により説明することもできる。すなわち、最高部４１ｂは、第１押圧面４１ａにおける上方向Ｄ１に対して演出設定基板５１の上面５１ａからの距離が最も大きい部分であり、最低部４２ｂは、第２押圧面４２ａにおける上方向Ｄ１に対して演出設定基板５１の上面５１ａからの距離が最も小さい部分であるといえる。また、最高部４１ｂは、演出設定基板５１の上面５１ａから最高部４１ｂまでの距離が、演出設定基板５１の上面５１ａから最低部４２ｂまでの距離より大きいように配置されている、といえる。
【００３９】
＜第２の実施形態＞
次に、上記第１の実施形態を一部変更した第２の実施形態について説明する。なお、第２の実施形態においては、第１の実施形態と同様の部分については、図示を省略、又は図に同一符号を付して説明を省略する。第２の実施形態に係る演出設定手段としての演出設定操作部４００は、決定ボタン４１０及び選択ボタン４２０を有している。
【００４０】
図３（ａ）に示すように、決定ボタン４１０の第１押圧面４１０ａは、最高部４１０ｂが中心部に位置するように配置され、かつ上方向Ｄ１に対して膨出する球面状に形成されている。選択ボタン４２０の第２押圧面４２０ａは、上板ＣＰ１の上面ＣＰ１ａに沿う方向に延設されてかつ上面ＣＰ１ａからの上方向Ｄ１に対する距離が異なる複数の面を有して形成されている。第２押圧面４２０ａを構成する面のうち、上面ＣＰ１ａからの上方向Ｄ１に対する距離が最も小さい面が、第２押圧面４２０ａの最低部４２０ｂを構成しており、第１押圧面４１０ａの最高部４１０ｂは、第２押圧面４２０ａの最低部４２０ｂより上板ＣＰ１の上面ＣＰ１ａから上方向Ｄ１への距離が大きいように配置されている。このように、第１押圧面及び第２押圧面は、複数の面を有して形成されていてもよいし、複数の凹凸面を有して形成されていてもよい。
【００４１】
これにより、目視確認をしなくても決定ボタン４１０と選択ボタン４２０との位置関係を指の触覚により把握しやすくなり、遊技者が演出設定操作部４００の操作を行う際、演出装置３００と演出設定操作部４００とを交互に見る必要性を低下させて、操作性の向上を図っている。
【００４２】
また、決定ボタン４１０及び選択ボタン４２０がともに初期位置に位置している状態で第１押圧面４１０ａの最高部４１０ｂから第２押圧面４２０ａの最低部４２０ｂまでの上方向Ｄ１への距離Ｙ１は、決定ボタン４１０が初期位置から移動位置まで下方向Ｄ２へ移動可能な可動距離Ｙ２より、大きいように配置されている。
【００４３】
これにより、決定ボタン４１０を下方向Ｄ２へ押圧操作する際に、遊技者が意図せず選択ボタン４２０を押圧操作することを防ぎ、決定ボタン４１０の周囲に選択ボタン４２０が配置されている場合において、決定ボタン４１０の操作性の向上を図っている。
【００４４】
＜第３の実施形態＞
次に、上記第１の実施形態を一部変更した第３の実施形態について説明する。なお、第３の実施形態においては、第１の実施形態と同様の部分については、図示を省略、又は図に同一符号を付して説明を省略する。第３の実施形態に係る演出設定手段としての演出設定操作部４０１は、決定ボタン４１１及び選択ボタン４２１を有している。図３（ｂ）に示すように、決定ボタン４１１の第１押圧面４１１ａは、最高部４１１ｂが中心部に位置するように配置され、かつ上方向Ｄ１に対して膨出する球面状に形成されている。選択ボタン４２１の第２押圧面４２１ａは、最低部４２１ｂが、第２押圧面４２１ａにおける決定ボタン４１１の側とは反対側の端部４２１ｅに配置されている。また、選択ボタン４２１の第２押圧面４２１ａは、上板ＣＰ１の上面ＣＰ１ａから上方向Ｄ１への距離が最も大きい最高部４２１ｄが、第２押圧面４２１ａにおける決定ボタン４１１の側の端部４２１ｃに配置されており、端部４２１ｃから端部４２１ｅまで滑らかな斜面が形成されている。第１押圧面４１１ａの最高部４１１ｂは、第２押圧面４２１ａの最高部４２１ｄより上板ＣＰ１の上面ＣＰ１ａから上方向Ｄ１への距離が大きいように配置されている。
【００４５】
これにより、目視確認をしなくても決定ボタン４１１と選択ボタン４２１との位置関係を指の触覚により把握しやすくなり、遊技者が演出設定操作部４０１の操作を行う際、演出装置３００と演出設定操作部４０１とを交互に見る必要性を低下させて、操作性の向上を図ることが可能となる。また、端部４２１ｃから端部４２１ｅまで滑らかな斜面が形成されているので、第２押圧面４２１ａにおける決定ボタン４１１の側とは反対側の端部４２１ｅが破損の防止や磨耗の低減を図っている。
【００４６】
＜第４の実施形態＞
次に、上記第１の実施形態を一部変更した第４の実施形態について説明する。なお、第４の実施形態においては、第１の実施形態と同様の部分については、図示を省略、又は図に同一符号を付して説明を省略する。第４の実施形態に係る演出設定手段としての演出設定操作部４０２は、決定ボタン４１２及び選択ボタン４２２を有している。図３（ｃ）に示すように、決定ボタン４１２の第１押圧面４１２ａは、上板ＣＰ１の上面ＣＰ１ａに沿う方向に延設された平面部４１２ｄと、第１押圧面４１２ａの中心部に形成されて上方向Ｄ１へ突出する突出面４１２ｅと、を有して形成されており、突出面４１２ｅの上端に最高部４１２ｂが配置されている。選択ボタン４２２の第２押圧面４２２ａは、第１押圧面４１２ａの平面部４１２ｄと略同一面となるように形成されており、第１押圧面４１２ａの全体が、最低部４２２ｂを構成している。このように、第１押圧面及び第２押圧面は、上板ＣＰ１の上面ＣＰ１ａや演出設定基板５１の上面５１ａ（図２（ｂ）参照）と平行な平面状に形成されていてもよいし、第１押圧面の一部が第２押圧面の一部と同じ高さとなるように配置されていてもよいし、第１押圧面の一部が第２押圧面の全部と同じ高さとなるように配置されていてもよいし、第１押圧面の全部が第２押圧面の一部と同じ高さとなるように配置されていてもよい。
【００４７】
これにより、目視確認をしなくても決定ボタン４１２の位置を指の触覚により把握しやすくなり、遊技者が演出設定操作部４０２の操作を行う際、演出装置３００と演出設定操作部４０２とを交互に見る必要性を低下させて、操作性の向上を図っている。
【００４８】
＜第５の実施形態＞
次に、上記第１の実施形態を一部変更した第５の実施形態について説明する。なお、第５の実施形態においては、第１の実施形態と同様の部分については、図示を省略、又は図に同一符号を付して説明を省略する。第５の実施形態に係る演出設定手段としての演出設定操作部４０３は、決定ボタン４１３及び選択ボタン４２３を有している。図３（ｄ）に示すように、上板ＣＰ１の上面ＣＰ１ｂは、水平面に対して傾斜するように、下方向Ｄ２に凹む球面状に形成されており、決定ボタン４１３の第１押圧面４１３ａ及び選択ボタン４２３の第２押圧面４２３ａは、上板ＣＰ１の上面ＣＰ１ｂに沿うように下方向Ｄ２に凹む球面状に形成されている。第１押圧面４１３ａの外縁４１３ｃ及び第２押圧面４２３ａの外縁４２３ｄは、第１押圧面４１３ａ及び第２押圧面４２３ａから下方へ向かうように丸みがつけられている。第２押圧面４２３ａにおける最低部４２３ｂは、決定ボタン４１３の側の端部４２３ｃである外縁４２３ｄの丸みの下端部に配置されるとともに、第１押圧面４１３ａの最高部４１３ｂは、第２押圧面４２３ａの最低部４２３ｂより上方向Ｄ１に対して高い位置に配置されている。すなわち、第１押圧面４１３ａの最高部４１３ｂは、第２押圧面４２３ａの最低部４２３ｂより演出設定基板５１の上面５１ａ（図２（ｂ）参照）から上方向Ｄ１への距離が大きいように配置されている。このように、上板ＣＰ１の上面は、演出設定基板５１の上面５１ａに沿う方向に形成されているものに限定されない。上板ＣＰ１の上面は、演出設定基板５１の上面５１ａと傾斜する傾斜面として形成されていてもよいし、曲面として形成されていてもよい。また、このように、複数の選択ボタンは、それぞれの高さや形状が異なっていてもよい。
【００４９】
これにより、目視確認をしなくても決定ボタン４１３と選択ボタン４２３との位置関係を指の触覚により把握しやすくなり、遊技者が演出設定操作部４０３の操作を行う際、演出装置３００と演出設定操作部４０３とを交互に見る必要性を低下させて、操作性の向上を図っている。
【００５０】
＜第６の実施形態＞
次に、上記第１の実施形態を一部変更した第６の実施形態について説明する。なお、第６の実施形態においては、第１の実施形態と同様の部分については、図示を省略、又は図に同一符号を付して説明を省略する。第６の実施形態に係る演出設定手段としての演出設定操作部４０４は、決定ボタン４１４及び選択ボタン４２４を有している。図３（ｅ）に示すように、決定ボタン４１４の第１押圧面４１４ａ及び選択ボタン４２４の第２押圧面４２４ａは、下方向Ｄ２に凹む球面状に形成されており、第１押圧面４１４ａと第２押圧面４２４ａとが、略同一面上に形成されている。
【００５１】
これにより、第１押圧面４１４ａの外縁４１４ｃに位置するように配置されている第１押圧面４１４ａの最高部４１４ｂは、第２押圧面４２４ａの決定ボタンの側の端部４２４ｃに配置されている第２押圧面４２４ａの最低部４２４ｂより、低い位置に配置されている。このように、第１押圧面の最高部は、第２押圧面の最低部より低い位置に配置されていてもよい。
【００５２】
これにより、指の表面に第１押圧面４１４ａや第２押圧面４２４ａが密着して、押圧操作時に指が移動方向である下方向Ｄ２と交差する方向にずれにくいので、遊技者が決定ボタン４１４や選択ボタン４２４を指で押圧操作し易くなり、操作性の向上を図っている。
【００５３】
＜第７の実施形態＞
次に、上記第１の実施形態を一部変更した第７の実施形態について説明する。なお、第７の実施形態においては、第１の実施形態と同様の部分については、図示を省略、又は図に同一符号を付して説明を省略する。第７の実施形態に係る演出設定手段としての演出設定操作部４０５は、第１メインボタン４３５、第２メインボタン４１５及び選択ボタン４２５を有している。
【００５４】
図４（ａ）に示すように、第１メインボタン４３５及び第２メインボタン４１５は、互いに隣接して配置されて、それぞれ独立して押圧操作が可能に構成されており、第１メインボタン４３５及び第２メインボタン４１５のそれぞれの下方に配置されている押圧検出スイッチ５２により、第１メインボタン４３５及び第２メインボタン４１５に対する押圧操作がそれぞれ独立して検出される。第１メインボタン４３５及び第２メインボタン４１５の周囲には、第１メインボタン４３５及び第２メインボタン４１５の中間を通り、上面ＣＰ１ａ（図２（ｂ）参照）に沿って前後方向Ｄ３に延びる直線ＬＮ３及び上面ＣＰ１ａに沿って左右方向Ｄ４に延びる直線ＬＮ２上に位置するように、直線ＬＮ３及び直線ＬＮ２の交点を中心として前後左右に４つの選択ボタン４２５が配置されている。選択ボタン４２５の第２押圧面４２５ａは、平面視において、直線ＬＮ３及び直線ＬＮ２の交点を中心とする円弧に沿う形状となるように形成されている。
【００５５】
例えば、第１メインボタン４３５に対する押圧操作が有効化されている所定のタイミングで第１メインボタン４３５が押圧操作されると、制御基板は、表示装置３３０に演出装置３００の設定を操作するためのメニュー画面を表示させる。表示装置３３０にメニュー画面が表示されている状態で、４つの選択ボタンのいずれかに対する押圧操作に応じた前後左右のいずれかの方向操作が行われると、制御基板は、方向操作に応じて選択された演出装置３００の設定の映像を表示装置３３０に表示させる。選択ボタン４２５の方向操作により演出装置３００の設定が選択されている状態で、第２メインボタン４１５が押圧操作されると、制御基板は、選択されている演出装置３００の設定を確定し、表示装置３３０に表示させているメニュー画面を終了する。このように、第１メインボタン４３５は、操作を開始する開始ボタンとして、第２メインボタン４１５は、選択した内容を決定する決定ボタンとして、機能している。なお、第１メインボタン４３５及び第２メインボタン４１５の機能は、上述したものに限定されず、他の多様な機能が考えられる。
【００５６】
これにより、第１メインボタン４３５及び第２メインボタン４１５に異なる機能を設定して、異なる機能が同一のボタンに設定されて操作が分かりにくくなることの防止を図ることが可能となる。また、選択ボタン４２５同士の隙間を小さくすることにより第２押圧面４２５ａの面積を大きくすることができるので、遊技者が選択ボタン４２５を押圧操作し易くなり、操作性の向上を図っている。
【００５７】
＜第８の実施形態＞
次に、上記第１の実施形態を一部変更した第８の実施形態について説明する。なお、第８の実施形態においては、第１の実施形態と同様の部分については、図示を省略、又は図に同一符号を付して説明を省略する。第８の実施形態に係る演出設定手段としての演出設定操作部４０６は、決定ボタン４１及び選択ボタン４２６を有している。図４（ｂ）に示すように、選択ボタン４２６の第２押圧面４２６ａは、平面視において、決定ボタン４１を中心とする円環状となるように一体で形成されている。選択ボタン４２６の下方には、選択ボタン４２６の移動を検出する押圧検出スイッチ５２が、直線ＬＮ１及び直線ＬＮ２上、かつ決定ボタン４１に対応する押圧検出スイッチ５２の周囲に位置するように、決定ボタン４１に対応する押圧検出スイッチ５２を中心として前後左右に４つ配置されている。選択ボタン４２６は、押圧操作される部位によって、演出設定基板５１に対して前後左右に傾斜可能に構成されている。選択ボタン４２６の前部、後部、左部及び右部のいずれかが押圧操作されると、押圧操作された部位の下方に配置されている押圧検出スイッチ５２により押圧操作が検出される。このように、１つの決定ボタンや選択ボタンの移動は、複数の押圧検出スイッチにより検出可能に構成されていてもよい。
【００５８】
これにより、選択ボタン４２６は１つの部品で済むので、部品点数の削減を図ることが可能となる。また、選択ボタン４２６の第２押圧面４２６ａの面積を大きくすることができるので、遊技者が選択ボタン４２６を押圧操作し易くなり、操作性の向上を図っている。
【００５９】
＜第９の実施形態＞
次に、上記第１の実施形態を一部変更した第９の実施形態について説明する。なお、第９の実施形態においては、第１の実施形態と同様の部分については、図示を省略、又は図に同一符号を付して説明を省略する。第９の実施形態に係る演出設定手段としての演出設定操作部４０７は、決定ボタン４１及び選択ボタン４２７を有している。図４（ｃ）に示すように、選択ボタン４２７は、直線ＬＮ２上、かつ決定ボタン４１の周囲に位置するように、決定ボタン４１を中心として左右に２つ配置されている。選択ボタン４２７の第２押圧面４２７ａは、決定ボタン４１を中心とした円弧に沿う形状となるように形成されている。
【００６０】
これにより、選択ボタン４２７同士の隙間を小さくすることにより第２押圧面４２７ａの面積を大きくすることができるので、遊技者が選択ボタン４２７を押圧操作し易くなり、操作性の向上を図っている。
【００６１】
＜本実施形態のまとめ＞
以上説明した遊技機（１）は（図２（ａ）〜（ｃ）、図３（ａ）〜（ｄ）、及び図４（ａ）〜（ｃ）参照）、
遊技に関する演出を実行可能な演出装置（３００）と、前記演出装置（３００）に対する設定の操作が可能な演出設定手段（４０，４００，４０１，４０２，４０３，４０５，４０６，４０７）と、を備えた遊技機（１）において、
前記演出設定手段（４０，４００，４０１，４０２，４０３，４０５，４０６，４０７）は、
押圧操作により移動可能なメインボタン（４１，４１０，４１１，４１２，４１３，４１５，４３５）と、
前記メインボタン（４１，４１０，４１１，４１２，４１３，４１５，４３５）の周囲に配置され、押圧操作に応じて方向操作が可能な方向操作ボタン（４２，４２０，４２１，４２２，４２３，４２５，４２６，４２７）と、を有し、
前記メインボタン（４１，４１０，４１１，４１２，４１３，４１５，４３５）は、移動方向（Ｄ１，Ｄ２）に向いて押圧可能に形成された第１押圧面（４１ａ，４１０ａ，４１１ａ，４１２ａ，４１３ａ，４１５ａ，４３５ａ）を有し、
前記方向操作ボタン（４２，４２０，４２１，４２２，４２３，４２５，４２６，４２７）は、前記移動方向（Ｄ１，Ｄ２）に向いて押圧可能に形成された第２押圧面（４２ａ，４２０ａ，４２１ａ，４２２ａ，４２３ａ，４２５ａ，４２６ａ，４２７ａ）を有し、
前記第１押圧面（４１ａ，４１０ａ，４１１ａ，４１２ａ，４１３ａ，４１５ａ，４３５ａ）における前記移動方向（Ｄ１，Ｄ２）に対して最も高い部分である最高部（４１ｂ，４１０ｂ，４１１ｂ，４１２ｂ，４１３ｂ）は、前記第２押圧面（４２ａ，４２０ａ，４２１ａ，４２２ａ，４２３ａ，４２５ａ，４２６ａ，４２７ａ）における前記移動方向（Ｄ１，Ｄ２）に対して最も低い部分である最低部（４２ｂ、４２０ｂ，４２１ｂ，４２２ｂ，４２３ｂ）より前記移動方向（Ｄ１，Ｄ２）に対して高い位置に配置されている、ことを特徴とする。
【００６２】
これにより、目視確認をしなくても決定ボタンと選択ボタンとの位置関係を指の触覚により把握しやすくなり、遊技者が演出設定操作部の操作を行う際、演出装置３００と演出設定操作部とを交互に見る必要性を低下させて、操作性の向上を図ることが可能となる。
【００６３】
また、遊技機（１）は（図２（ａ）〜（ｃ）、図３（ａ）、図３（ｃ）、図３（ｄ）、及び図４（ａ）〜（ｃ）参照）、
前記方向操作ボタン（４２，４２０，４２２，４２３，４２５，４２６，４２７）は、４つの前記第２押圧面（４２ａ，４２０ａ，４２２ａ，４２３ａ，４２５ａ，４２６ａ，４２７ａ）が前記メインボタン（４１，４１０，４１２，４１３，４１５，４３５）を中心として直交する２本の直線（ＬＮ１，ＬＮ２）上でかつ前記メインボタン（４１，４１０，４１２，４１３，４１５，４３５）の周囲に位置するように配置され、かつ前記最低部（４２ｂ、４２０ｂ，４２２ｂ，４２３ｂ）のそれぞれが前記第２押圧面（４２ａ，４２０ａ，４２２ａ，４２３ａ，４２５ａ，４２６ａ，４２７ａ）のそれぞれにおける前記メインボタン（４１，４１０，４１２，４１３，４１５，４３５）の側の端部（４２ｃ，４２０ｃ，４２２ｃ，４２３ｃ）に配置されている、ことを特徴とする。
【００６４】
これにより、遊技者は、目視確認をしなくても、選択ボタンにおける決定ボタンの側の端部より高い位置に配置されている決定ボタンの最高部の位置を指の触覚により把握しやすくなり、遊技者が演出設定操作部の操作を行う際、演出装置３００と演出設定操作部とを交互に見る必要性を低下させて、操作性の向上を図ることが可能となる。
【００６５】
また、遊技機（１）は（図２（ａ）〜（ｃ）、図３（ｄ）、及び図４（ａ）〜（ｃ）参照）、
前記第１押圧面（４１ａ，４１３ａ，４１５ａ，４３５ａ）は、前記最高部（４１ｂ，４１３ｂ）が外縁（４１ｃ，４１３ｃ）に位置するように配置され、かつ前記移動方向（Ｄ１，Ｄ２）に対して凹む凹面状に形成されている、ことを特徴とする。
【００６６】
これにより、指の表面に第１押圧面が密着して、押圧操作時に指が移動方向である下方向と交差する方向にずれにくいので、遊技者が決定ボタンを指で押圧操作し易くなり、操作性の向上を図ることが可能となる。また、選択ボタンの最低部が第２押圧面における決定ボタンの側の端部に配置されている場合には、目視確認をしなくても、決定ボタンと選択ボタンとの境を指の触覚により把握しやすくなり、遊技者が演出設定操作部の操作を行う際、演出装置３００と演出設定操作部とを交互に見る必要性を低下させて、操作性の向上を図ることが可能となる。
【００６７】
また、遊技機（１）は（図２（ａ）〜（ｃ）、図３（ｄ）、図３（ｅ）、及び図４（ａ）〜（ｃ）参照）、
遊技に関する演出を実行可能な演出装置（３００）と、前記演出装置（３００）に対する設定の操作が可能な演出設定手段（４０，４０３，４０４，４０５，４０６，４０７）と、を備えた遊技機（１）において、
前記演出設定手段（４０，４０３，４０４，４０５，４０６，４０７）は、
押圧操作により移動可能なメインボタン（４１，４１３，４１４，４１５，４３５）と、
前記メインボタン（４１，４１３，４１４，４１５，４３５）の周囲に配置され、押圧操作に応じて方向操作が可能な方向操作ボタン（４２，４２３，４２４，４２５，４２６，４２７）と、を有し、
前記メインボタン（４１，４１３，４１４，４１５，４３５）は、移動方向（Ｄ１，Ｄ２）に向いて押圧可能に形成された第１押圧面（４１ａ，４１３ａ，４１４ａ，４１５ａ，４３５ａ）を有し、
前記第１押圧面（４１ａ，４１３ａ，４１４ａ，４１５ａ，４３５ａ）は、前記移動方向（Ｄ１，Ｄ２）に対して凹む凹面状に形成されている、ことを特徴とする。
【００６８】
これにより、遊技者の指の表面に第１押圧面が密着して、押圧操作時に指が移動方向である下方向と交差する方向にずれにくいので、遊技者が決定ボタンを指で押圧操作し易くなり、操作性の向上を図ることが可能となる。
【００６９】
＜他の実施形態の可能性＞
なお、上述したいずれの実施形態においても、スロットマシンは、決定ボタン及び選択ボタンが上下方向へ移動可能に構成されているが、これに限定されない。スロットマシンは、決定ボタン及び選択ボタンが所定の方向へ移動可能に構成されて、決定ボタン及び選択ボタンの移動を検出可能に構成されていればよく、例えば、決定ボタン及び選択ボタンが左右方向に移動可能に構成されていてもよいし、前後方向に移動可能に構成されていてもよい。
【００７０】
また、上述したいずれの実施形態においても、スロットマシンは、２方向又は４方向の方向操作が可能な選択ボタンを有して構成されているが、これに限定されない。スロットマシンは、例えば、１方向のみの方向操作が可能な１つの選択ボタンを有して構成されていてもよいし、８方向の方向操作が可能な８つの選択ボタンを有して構成されていてもよい。
【００７１】
また、上述したいずれの実施形態においても、スロットマシンは、演出設定操作部の決定ボタンにより演出装置３００に対する設定の操作の開始と設定の決定を行い、選択ボタンにより演出操作に対する設定を選択する際に使用されるように構成されているが、これに限定されない。スロットマシンは、例えば、決定ボタンが、演出装置３００に対する設定の操作の開始のみ又は設定の決定のみに使用されるボタンであってもよいし、遊技上の演出情報や遊技台の大当たり回数等、遊技情報の表示画面における操作を行う際に使用されるボタンであってもよいし、他の用途に使用されるボタンであってもよい。
【００７２】
また、上述したいずれの実施形態においても、組合せ可能な他の実施形態における特徴を自由に組合せて実施することができる。例えば、平面視における形状が第１の実施形態と同様でかつ断面形状が第２の実施形態と同様である実施形態、平面視における形状が第７の実施形態と同様でかつ断面形状が第５の実施形態と同様である実施形態、第７の実施形態のように第１メインボタン及び第２メインボタンを有してかつ選択ボタンが第８の実施形態のように一体で形成されている実施形態等が考えられる。
【００７３】
また、本実施形態においては、遊技機の一例である、メダルを遊技媒体として用いた遊技を行うスロットマシンを例にして説明したが、本発明は、遊技球を遊技媒体として用いた遊技を行うスロットマシンや、入賞口への入球を抽選契機とした抽選が実行されるパチンコ機を含む弾球遊技機や、有形の遊技媒体を用いず遊技価値を有する電子データを用いた遊技を行う遊技機等の各種の遊技機に適用可能である。
【符号の説明】
【００７４】
１      遊技機（スロットマシン）
４０，４００〜４０７  演出設定手段（演出設定操作部）
４１，４１０〜４１４  メインボタン（決定ボタン）
４１ａ，４１０ａ〜４１５ａ，４３５ａ  第１押圧面
４１ｂ，４１０ｂ〜４１４ｂ  最高部
４１ｃ，４１３ｃ  外縁
４２，４２０〜４２７  方向操作ボタン（選択ボタン）
４２ａ，４２０ａ〜４２７ａ  第２押圧面
４２ｂ，４２０ｂ〜４２４ｂ  最低部
４２ｃ，４２０ｃ，４２１ｃ，４２２ｃ，４２３ｃ  端部
３００  演出装置
４１５  メインボタン（第２メインボタン）
４３５  メインボタン（第１メインボタン）
Ｄ１    移動方向（上方向）
Ｄ２    移動方向（下方向）
ＬＮ１  直線
ＬＮ２  直線
【図１】
2019201849.tif 000003
【図２】
2019201849.tif 000004
【図３】
2019201849.tif 000005
【図４】
2019201849.tif 000006
【手続補正書】
【提出日】平成30年11月26日(2018.11.26)
【手続補正１】
【補正対象書類名】明細書
【補正対象項目名】０００７
【補正方法】変更
【補正の内容】
【０００７】
本発明は、遊技に関する演出を実行可能な演出装置と、前記演出装置に対する設定の操作が可能な演出設定手段と、を備えた遊技機において、
前記演出設定手段は、
押圧操作により移動可能なメインボタンと、
前記メインボタンの周囲に配置され、押圧操作に応じて方向操作が可能な方向操作ボタンと、を有し、
前記メインボタンは、移動方向に押圧可能に形成され、かつ凹面状に形成された第１押圧面と、前記第１押圧面における最も高い部分で、かつ外縁に位置するように配置された最高部と、を有し、
前記方向操作ボタンは、前記移動方向に押圧可能に形成された４つの第２押圧面を有し、前記第２押圧面が前記メインボタンを中心として直交する２本の直線上でかつ前記メインボタンの周囲に位置するように配置され、かつ前記第２押圧面における最も低い部分である最低部のそれぞれが前記第２押圧面のそれぞれにおける前記メインボタンの側の端部に配置され、
前記第１押圧面の前記最高部は、前記第２押圧面の前記最低部より高い位置に配置され、かつ前記メインボタンが押圧操作されて前記移動方向への移動が検出される位置へ移動した状態でも、前記第２押圧面の前記最低部より高い位置にある、ことを特徴とする。
【手続補正２】
【補正対象書類名】特許請求の範囲
【補正対象項目名】全文
【補正方法】変更
【補正の内容】
【特許請求の範囲】
【請求項１】
遊技に関する演出を実行可能な演出装置と、前記演出装置に対する設定の操作が可能な演出設定手段と、を備えた遊技機において、
前記演出設定手段は、
押圧操作により移動可能なメインボタンと、
前記メインボタンの周囲に配置され、押圧操作に応じて方向操作が可能な方向操作ボタンと、を有し、
前記メインボタンは、移動方向に押圧可能に形成され、かつ凹面状に形成された第１押圧面と、前記第１押圧面における最も高い部分で、かつ外縁に位置するように配置された最高部と、を有し、
前記方向操作ボタンは、前記移動方向に押圧可能に形成された４つの第２押圧面を有し、前記第２押圧面が前記メインボタンを中心として直交する２本の直線上でかつ前記メインボタンの周囲に位置するように配置され、かつ前記第２押圧面における最も低い部分である最低部のそれぞれが前記第２押圧面のそれぞれにおける前記メインボタンの側の端部に配置され、
前記第１押圧面の前記最高部は、前記第２押圧面の前記最低部より高い位置に配置され、かつ前記メインボタンが押圧操作されて前記移動方向への移動が検出される位置へ移動した状態でも、前記第２押圧面の前記最低部より高い位置にある、
ことを特徴とする遊技機。
【請求項２】
遊技に関する演出を実行可能な演出装置と、前記演出装置に対する設定の操作が可能な演出設定手段と、を備えた遊技機において、
前記演出設定手段は、
押圧操作により移動可能なメインボタンと、
前記メインボタンの周囲に配置され、押圧操作に応じて方向操作が可能な方向操作ボタンと、を有し、
前記メインボタンは、移動方向に押圧可能に形成された第１押圧面を有し、
前記方向操作ボタンは、前記移動方向に押圧可能に形成された４つの第２押圧面を有し、前記第２押圧面が前記メインボタンを中心として直交する２本の直線上でかつ前記メインボタンの周囲に位置するように配置され、かつ前記第２押圧面における最も高い部分である最高部のそれぞれが前記第２押圧面のそれぞれにおける前記メインボタンの側の端部に配置され、かつ前記第２押圧面における最も低い部分である最低部のそれぞれが前記第２押圧面のそれぞれにおける前記メインボタンとは反対側の端部に配置され、
前記第１押圧面における最も高い部分である最高部は、前記第２押圧面の前記最高部より高い位置に配置され、かつ前記メインボタンが押圧操作されて前記移動方向への移動が検出される位置へ移動した状態でも、前記第２押圧面の前記最低部より高い位置にある、
ことを特徴とする遊技機。
【手続補正書】
【提出日】平成31年3月13日(2019.3.13)
【手続補正１】
【補正対象書類名】明細書
【補正対象項目名】０００７
【補正方法】変更
【補正の内容】
【０００７】
本発明は、遊技に関する演出を実行可能な演出装置と、前記演出装置に対する設定の操作が可能な演出設定手段と、を備えた遊技機において、
前記演出設定手段は、
前記演出装置の下方に配置されると共に第１の開口から突出し、移動方向への押圧操作により移動可能なメインボタンと、
前記メインボタンの周囲に、前記移動方向視において前記メインボタンと重ならないように配置され、前記第１の開口と独立してかつ相互に独立して形成された４つの第２の開口からそれぞれ突出し、前記移動方向への押圧操作により前記メインボタンに対してそれぞれ独立して移動可能な相互に独立する４つのボタンからなる方向操作ボタンと、を有し、
前記メインボタンは、前記移動方向に押圧可能に形成された第１押圧面を有し、
前記方向操作ボタンは、前記移動方向に押圧可能に形成された第２押圧面を前記４つのボタンのそれぞれに有し、前記メインボタンを中心として直交する２本の直線上でかつ前記メインボタンの周囲に位置するように配置され、かつ前記第２押圧面における最も高い部分である最高部のそれぞれが前記第２押圧面のそれぞれにおける前記メインボタンの側の端部に配置され、前記第２押圧面における最も低い部分でかつ前記最高部よりも低い部分である最低部のそれぞれが前記第２押圧面のそれぞれにおける前記メインボタンとは反対側の端部に配置され、
前記第１押圧面における最も高い部分である最高部は、前記第２押圧面の前記最高部より高い位置に配置され、かつ前記メインボタンが押圧操作されて前記移動方向への移動が検出される位置へ移動した状態でも、前記第２押圧面の前記最低部より高い位置にある、ことを特徴とする。
【手続補正２】
【補正対象書類名】特許請求の範囲
【補正対象項目名】全文
【補正方法】変更
【補正の内容】
【特許請求の範囲】
【請求項１】
遊技に関する演出を実行可能な演出装置と、前記演出装置に対する設定の操作が可能な演出設定手段と、を備えた遊技機において、
前記演出設定手段は、
前記演出装置の下方に配置されると共に第１の開口から突出し、移動方向への押圧操作により移動可能なメインボタンと、
前記メインボタンの周囲に、前記移動方向視において前記メインボタンと重ならないように配置され、前記第１の開口と独立してかつ相互に独立して形成された４つの第２の開口からそれぞれ突出し、前記移動方向への押圧操作により前記メインボタンに対してそれぞれ独立して移動可能な相互に独立する４つのボタンからなる方向操作ボタンと、を有し、
前記メインボタンは、前記移動方向に押圧可能に形成された第１押圧面を有し、
前記方向操作ボタンは、前記移動方向に押圧可能に形成された第２押圧面を前記４つのボタンのそれぞれに有し、前記メインボタンを中心として直交する２本の直線上でかつ前記メインボタンの周囲に位置するように配置され、かつ前記第２押圧面における最も高い部分である最高部のそれぞれが前記第２押圧面のそれぞれにおける前記メインボタンの側の端部に配置され、前記第２押圧面における最も低い部分でかつ前記最高部よりも低い部分である最低部のそれぞれが前記第２押圧面のそれぞれにおける前記メインボタンとは反対側の端部に配置され、
前記第１押圧面における最も高い部分である最高部は、前記第２押圧面の前記最高部より高い位置に配置され、かつ前記メインボタンが押圧操作されて前記移動方向への移動が検出される位置へ移動した状態でも、前記第２押圧面の前記最低部より高い位置にある、
ことを特徴とする遊技機。